(57)【要約】【課題】扉の室外側と室内側の両面に取り付ける両面シリンダーでありながら、室内側のシリンダーは、室外側のシリンダーに比べて防犯効果はさほど要求されないことを考慮して、部品点数を少なくし安価なものを提供すること。【解決手段】室内側のシリンダー１０の内筒１５の下ピン孔１５ａ〜１５ｆと外筒３１の上ピン孔１１ａ、１１ｂとに対向して嵌挿される１組からなる下ピン１７及び上ピン１３の組付数は、室外側のシリンダー３０の内筒３５の下ピン孔３５ａ〜３５ｆと外筒３１の上ピン孔３１ａ〜３１ｆとに対向して嵌挿される１組からなる下ピン３７及び上ピン３３の組付数より少なく設けるとともに、前記室内側のシリンダー１０と室外側のシリンダー３０とは同一のキーＫにより施錠または解錠できるようにしてある。【選択図】        図１
2004324055.tif 000002
【特許請求の範囲】
【請求項１】
上ピン孔を有する外筒に下ピン孔とキー孔とを有する内筒を回動自在に嵌装し、前記外筒の上ピン孔にバネで内筒側へ付勢した上ピンを、内筒の下ピン孔に下ピンをそれぞれ摺動可能に嵌装し、この上下両ピンの境界線が外筒と内筒との境界線であるシャーラインに一致するときに内筒の回動を可能としたシリンダーを、扉の室内側と室外側の両方に取り付けてなる扉錠において、
前記室内側のシリンダーの内筒の下ピン孔と外筒の上ピン孔とに対向して嵌挿される１組からなる下ピン及び上ピンの組付数は、室外側のシリンダーの内筒の下ピン孔と外筒の上ピン孔とに対向して嵌挿される１組からなる下ピン及び上ピンの組付数より少なく設けるとともに、前記室内側のシリンダーと室外側のシリンダーとは同一のキーにより施錠または解錠できるようにしてなることを特徴とする扉錠。
【請求項２】
室内側のシリンダーと室外側のシリンダーとは、それぞれの内筒を同一構造とするとともに、同一のキーにより施錠または解錠できるように構成する一方、室内側のシリンダーの外筒に形成された上ピン孔は、室外側のシリンダーの外筒に形成された上ピン孔より少なく形成し、該上ピン孔に嵌挿する上ピンの組付数を、室外側のシリンダーの外筒の上ピン孔に嵌挿する上ピンの組付数より少なくしてある請求項１記載の扉錠。
【請求項３】
室内側のシリンダーの外筒に形成された上ピン孔は、室外側のシリンダーの外筒に形成された上ピン孔より少なく形成し、該上ピン孔に嵌挿する上ピンの組付数を、室外側のシリンダーの外筒の上ピン孔に嵌挿する上ピンの組付数より少なくしてあるとともに、室内側のシリンダーの内筒の下ピン孔は、前記室内側の外筒の上ピン孔に対向する個数だけ配設してあり、室内側のシリンダーと室外側のシリンダーとは同一のキーにより施錠または解錠できるようにしてある請求項１記載の扉錠。
【発明の詳細な説明】
【０００１】
【発明の属する技術分野】
本発明は、扉の室外側と室内側の両方にそれぞれシリンダーを取り付けてなる扉錠に関する。
【０００２】
【従来の技術】
この種の扉錠としては、一般的に、扉の室外側にシリンダーを室内側にサムターンを用いている。しかし、これによれば、室内側にサムターンを採用しているため、家庭の玄関から徘徊老人が勝手に外出するのを防止出来ないし、窃盗犯がドアにドリルで穴をあけて、この穴に曲がった針金状工具を差し込んで室内側のサムターンを操作して不正解錠されてしまうという問題があった。
【０００３】
そこで、上記問題を解消するため、従来より、扉の室外側のみならず室内側にもシリンダーを用いて、扉の室外・室内の両面からキーにより施錠または解錠する両面シリンダー式の扉錠も提供されている。
【０００４】
上記従来の両面シリンダー式の扉錠は、例えば、図６〜図８に示すように、扉イの室内側と室外側の両面に、構造が同一のシリンダー及びキーを設けたものである。すなわち、室内・外両側のシリンダー０１、０２は、複数配設した上ピン孔０５、０６を有する外筒０３、０４に、複数配設した下ピン孔０９、０１０とキー孔０１１、０１２とを有する内筒０７、０８を回動自在に嵌装し、前記外筒０３、０４の上ピン孔０５，０６にバネ０１３、０１４で内筒０７、０８側へ付勢した上ピン０１５、０１６を、内筒０７、０８の下ピン孔０９、０１０に下ピン０１７、０１８をそれぞれ摺動可能に嵌装してある。この上下両ピン０１５、０１７、０１６、０１８は軸長手方向に複数個配設して複数のコラムが形成されている。各コラムの上下両ピン０１５，０１７、０１６、０１８の境界線が外筒０３、０４と内筒０７、０８との境界線であるシャーラインＬに一致するときにキーＫにより内筒０７、０８の回動を可能としてある。
なお、図８で、０２０は錠ケースのフロント板、０２１はデッドボルト、０２２はラッチボルト、０２３は室内側のレバーハンドル、０２４は室外側のレバーハンドルである。
【０００５】
【発明が解決しようとする課題】
しかるに、上記従来の両面シリンダー式の扉錠では、室内側のシリンダー０１と室外側のシリンダー０２とは、外筒０３、０４及び内筒０７、０８が同一構造であるとともに、外筒０３、０４の上ピン孔０５、０６、内筒０７、０８の下ピン孔０９、０１０、上ピン０１５、０１６並びにバネ０１３、０１４のいずれも同数ずつ備えており、多数の部品点数を有する。そのため、室内側のシリンダーは、室外側のシリンダーと同様に、前述したように多数の部品点数を要し、コスト的に高価となるという問題点があった。
【０００６】
本発明は、上記従来の扉錠の有する問題点を解消するものであって、両面シリンダーでありながら、室内側のシリンダーは、室外側のシリンダーに比べて防犯効果はさほど要求されないことを考慮して、部品点数を少なくし安価なものを提供することを目的とする。
【０００７】
【課題を解決するための手段】
上記目的を達成するために、本発明の請求項１の扉錠は、上ピン孔を有する外筒に下ピン孔とキー孔とを有する内筒を回動自在に嵌装し、前記外筒の上ピン孔にバネで内筒側へ付勢した上ピンを、内筒の下ピン孔に下ピンをそれぞれ摺動可能に嵌装し、この上下両ピンの境界線が外筒と内筒との境界線であるシャーラインに一致するときに内筒の回動を可能としたシリンダーを、扉の室内側と室外側の両方に取り付けてなる扉錠において、前記室内側のシリンダーの内筒の下ピン孔と外筒の上ピン孔とに対向して嵌挿される１組からなる下ピン及び上ピンの組付数は、室外側のシリンダーの内筒の下ピン孔と外筒の上ピン孔とに対向して嵌挿される１組からなる下ピン及び上ピンの組付数より少なく設けるとともに、前記室内側のシリンダーと室外側のシリンダーとは同一のキーにより施錠または解錠できるようにしてなることを特徴とする。
【０００８】
すなわち、室内側のシリンダーは、１組からなる下ピン及び上ピンの組付数（コラム数ともいう）を、室外側のシリンダーの場合のコラム数より少なくするものであって、これによって、内筒や外筒、上ピンや下ピンおよびピンバネ等のシリンダー構成部材を室外側のシリンダーの構成部材と共通化すると共に、少なくとも下ピン及び上ピンの何組かと、それに対応するバネとを減らして、室内側のシリンダーの製造コストを安価にするものである。
【０００９】
室内側のシリンダーにおける下ピン及び上ピンのコラム数を、室外側のシリンダーの場合のコラム数より少なくする方式は、本発明では特に限定しない。例えば、後述する第１実施形態（図１〜図２）に示す如く、両シリンダーの内筒は同一構造（下ピン孔も同数）とするとともに、前者の外筒の上ピン孔を後者の外筒の上ピン孔より少なくして、前者のコラム数を少なくする方式でもよい。又は、第２実施形態（図４、図５）に示す如く、両シリンダーの内筒及び外筒は異なる構造とし、前者の内筒の下ピン孔及び外筒の上ピン孔を、後者のそれといずれも少なく形成して、コラム数を少なくする方式でもよい。その他任意に設計変更できる。
【００１０】
すなわち、本発明の扉錠は、請求項２に記載するように、室内側のシリンダーと室外側のシリンダーとは、それぞれの内筒を同一構造とするとともに、同一のキーにより施錠または解錠できるように構成する一方、室内側のシリンダーの外筒に形成された上ピン孔は、室外側のシリンダーの外筒に形成された上ピン孔より少なく形成し、該上ピン孔に嵌挿する上ピンの組付数を、室外側のシリンダーの外筒の上ピン孔に嵌挿する上ピンの組付数より少なくしてあるものでよい。
【００１１】
また、本発明の扉錠は、請求項３に記載するように、室内側のシリンダーの外筒に形成された上ピン孔は、室外側のシリンダーの外筒に形成された上ピン孔より少なく形成し、該上ピン孔に嵌挿する上ピンの組付数を、室外側のシリンダーの外筒の上ピン孔に嵌挿する上ピンの組付数より少なくしてあるとともに、室内側のシリンダーの内筒の下ピン孔は、前記室内側の外筒の上ピン孔に対向する個数だけ配設してあり、室内側のシリンダーと室外側のシリンダーとは同一のキーにより施錠または解錠できるようにしてあるものでもよい。
【００１２】
【発明の実施の形態１】
本発明の実施の形態の第１例を図１〜図３に基づいて以下に説明する。
図３において、１は扉イに取り付けた従来周知の扉錠であって、この扉錠１は、デッドボルト３と、該デッドボルト３を出没するためのハブやクリックモーション用バネ等の出没操作機構（図示せず）と、室内外のレバーハンドル５ａ，５ｂにより操作されるラッチボルト４とを内装した錠ケース２とを備えている。また、この錠ケース２の室内側には、キーの操作により前記デッドボルト３を出没するための室内側のシリンダー１０を有するとともに、錠ケース２の室外側には、同様に、キーの操作によりデッドボルト３を出没するための室外側のシリンダー３０を有している。
なお、図３で６は錠ケース２のフロント板である。
【００１３】
室外側のシリンダー３０は、従来より公知のものであって、図１、図２に示すように、複数の上ピン孔３１ａ、３１ｂ、３１ｃ、３１ｄ、３１ｅ、３１ｆを有する外筒３１に、複数の下ピン孔３５ａ、３５ｂ、３５ｃ、３５ｄ、３５ｅ、３５ｆとキー孔３６を有する内筒３５を回動自在に嵌装し、外筒３１の上ピン孔３１ａ〜３１ｆにはバネ３２、３２、３２、３２、３２、３２で内筒３５側へ付勢した上ピン３３、３３、３３、３３、３３、３３を、内筒３５の下ピン孔３５ａ、３５ｂ、３５ｃ、３５ｄ、３５ｅ、３５ｆには下ピン３７、３７、３７、３７、３７、３７をそれぞれ摺動可能に嵌装している。すなわち、上ピンと下ピンとを１組として複数組のピン群（コラム）が配設してある。
【００１４】
そして、図１及び図２に示すように、正規な合鍵であるキーＫを内筒３５のキー孔３６に差し込んだときに、上下両ピン３３、３７・・・（つまり対応する各コラムのピン）の境界線Ｍが、外筒３１と内筒３５との境界線であるシャーラインＬに一致するときに内筒３５の回動ができ、この内筒３５の回動によって内筒の後端部に一体的に設けてある操作杆３９を介して錠ケース内のハブ（図示せず）を回動させ、デッドボルト３を突出又は後退させて施錠又は解錠できるようにしてなるものである。
【００１５】
すなわち、室外側のシリンダー３０は、図１及び図２に示されているように、外筒３１の上ピン孔３１ａ〜３１ｆと内筒３５の下ピン孔３５ａ〜３５ｆとが６組形成され、各組（３１ａと３５ａ、３１ｂと３５ｂ、３１ｃと３５ｃ、３１ｄと３５ｄ、３１ｅと３５ｅ、３１ｆと３５ｆ）には、それぞれ上ピン３３と下ピン３７とが１対ずつ嵌挿される。従って、上ピンと下ピンとを１組とした場合、６組のピン群（コラム）が長手方向に配設される。この６組のピン群（コラム）をシリンダーの前部から後部に向けて、第１コラム５１，第２コラム５２，第３コラム５３，第４コラム５４，第５コラム５５，第６コラム５６と称する。
【００１６】
前記キーＫは、図１及び図２に示すように、該キーＫを内筒３５のキー孔３６に差し込んだときに、各コラム５１〜５６の各上下両ピン３３，３７の境界線Ｍが前記シャーラインＬに一致するように、同キーＫには各コラムに対応して、第１鍵山Ｋ１，第２鍵山Ｋ２、第３鍵山Ｋ３，第４鍵山Ｋ４、第５鍵山Ｋ５，第６鍵山Ｋ６の６つの鍵山が形成されている。これらの各鍵山が対応する各コラムと一致すれば、前述の如くキーＫによって内筒３５が回動でき施錠または解錠されるのである。
【００１７】
一方、室内側のシリンダー１０は、本発明の要旨をなしているものであり、以下にこれを詳細に説明する。
前記室内側のシリンダー１０は、外筒１１と内筒１５とを有する点では室外側のシリンダー３０と共通する。しかし、この室内側のシリンダー１０の内筒１５の下ピン孔１５ａ、１５ｂ、１５ｃ、１５ｄ、１５ｅ、１５ｆと外筒１１の上ピン孔１１ａ、１１ｂとに対向して嵌挿される１組からなる下ピン１７及び上ピン１３の組付数は、室外側のシリンダー３０の内筒３５の下ピン孔３５ａ〜３５ｆと外筒３１の上ピン孔３１ａ〜３１ｆとに対向して嵌挿される１組からなる下ピン３７及び上ピン３３の組付数より少なく設けてある。それとともに、前記室内側のシリンダー１０と室外側のシリンダー３０とは同一のキーにより施錠または解錠できるようにしてなるものである。
【００１８】
この室内側のシリンダー１０について、図１と図２に沿って、更に具体的に説明すると、この室内側のシリンダー１０の内筒１５は、室外側のシリンダー３０の内筒３５と同一の構造としているとともに、室内側のシリンダー１０の外筒１１は、室外側のシリンダー３０の外筒３１と異なる構造としている。すなわち、室内側のシリンダー１０の内筒１５は、室外側のシリンダー１０の内筒３５と同一形状の、複数の下ピン孔１５ａ、１５ｂ、１５ｃ、１５ｄ、１５ｅ、１５ｆとキー孔１６とを有している。従って、内筒１５と内筒３５とは互換可能なものである。
【００１９】
一方、室内側のシリンダー１０の外筒１１は、図１及び図２に示すように、上ピンを嵌挿するための上ピン孔を形成する隆起部１８は、室外側のシリンダー３０の場合の隆起部３８より長手方向に短く形成し、前記隆起部１８には内筒１５の下ピン孔１５ｅ、１５ｆの対向位置に上ピン孔１１ａ、１１ｂが２箇所形成されている。すなわち、室内側のシリンダー１０の外筒１１に形成された上ピン孔１１ａ、１１ｂは、室外側のシリンダー３０の外筒１１に形成された上ピン孔３１ａ〜３１ｆより少なく形成し、前者の上ピン孔に嵌挿する上ピン１３、１３の組付数を、後者の上ピン孔３１ａ〜３１ｆに嵌挿する上ピン３３・・・３３の組付数より少なくしてある。この場合、室内側のシリンダー１０の内筒１５の下ピン孔１５ｅ、１５ｆのみに下ピン１７、１７が嵌挿される。つまり、前者では上下両ピンのコラム数が第５コラム５５と第６コラム５６との２組であるのに対し、後者のコラム数は６組であるので、室内側のシリンダー１０では後者の上下両ピン３３，３７の組付数及びバネ３２の組付数が少なくて良い。つまり上ピン１３及び下ピン１７はそれぞれ２個でよく、バネは２個でよい。
【００２０】
室内側のシリンダー１０を施解錠する場合にも、室外側のシリンダー３０の施錠または解錠に使用する前記キーＫを使用する。
すなわち、室内側のシリンダー１０へのキー操作により施錠または解錠する場合には、図１に示すように、キーＫを室内側のシリンダー１０の内筒１５のキー孔１６に完全に差し込むと、キーＫの先端部に形成された第１鍵山Ｋ１に第６コラム５６の下ピン１７が嵌挿されるとともに、第２鍵山Ｋ２に第５コラム５５の下ピン１７が嵌挿されて、それらの上下両ピン１３、１７の境界線Ｍが外筒１１と内筒１５とのシャーラインＬに一致するので、内筒１５が回動でき、この内筒１５の施錠方向への回動によって内筒の後端部に一体的に設けてある操作杆２９を介して錠ケース内のハブ（図示せず）を回動させ、デッドボルト３を突出させて施錠できるし、また上記内筒１５を解錠方向へ回動すると、デッドボルト３が後退されて解錠できる。
【００２１】
このように、室内側のシリンダー１０は、室外側のシリンダー３０の施解錠に使用するキーＫの鍵山の一部を利用することにより、室内側および室外側から同じキーによる操作により施錠又は解錠できる上に、前述したように、従来の両面シリンダーのものに比べて、室内側シリンダーの上ピンや下ピンやバネなどのシリンダーの内部部品を少なくできる。
なお、図１〜図３で、２０、４０はカラーである。
【００２２】
【発明の実施の形態２】
本発明の実施の形態の第２例を図４と図５に沿って以下に説明する。
この実施形態の扉錠は、前記実施形態１の場合に比べて、室内側のシリンダー１０に特徴を有しているので、該室内側のシリンダー１０のみを図示している。従って、室外側のシリンダー３０は前記実施形態１と同様に構成しているので、詳しくは図１〜図２を参照するとよいし、また室内外のシリンダー１０、３０の取付状態は図３を参照するとよい。
【００２３】
この場合、室内側のシリンダー１０の外筒１１に形成された上ピン孔１１ａ、１１ｂは、室外側のシリンダー３０の外筒３１に形成された上ピン孔３１ａ〜３１ｆより少なく形成し、該上ピン孔１１ａ、１１ｂに嵌挿する上ピン１３、１３の組付数を、室外側のシリンダー３０の外筒３１の上ピン孔３１ａ〜３１ｆに嵌挿する上ピン３３・・・３３の組付数より少なくしてある点では、前記実施形態１の技術的思想を同じくする。
【００２４】
しかしながら、この実施形態２では、室内側のシリンダー１０の内筒１５と外筒１１の構造に特徴を有する。すなわち、この場合の内筒１５の外周には、後半部の一部に段落し部１５ｇを形成し、この段落し部１５ｇには、前記外筒１１に形成された２つの上ピン孔１１ａ、１１ｂに対向する２つの下ピン孔１５ａ、１５ｂが垂直方向に貫通して形成されている。
【００２５】
一方、外筒１１は２つの上ピン孔１１ａ、１１ｂを有し、かつ長手方向に短く形成した隆起部１８を有し、この隆起部１８を内筒１５の段落し部１５ｇに嵌装している。そして、前記内筒１５の前半部の外周は筒状のキャップ１９で被覆してある。さらに、これらの外筒１１及びキャップ１９は、カラー２０で被覆されている。
【００２６】
この実施形態２の場合も、前記実施形態１の場合と同様に、上下両ピン１３、１７のコラム数は２組であり、また室内側のシリンダー１０と室外側のシリンダー３０とは同一のキーＫにより施錠または解錠できるようにしてあり、さらに室内側のシリンダー１０をキーＫにより施解錠する操作方法も同様である。
【００２７】
【変形例等】
室内側のシリンダー１０における外筒１１と内筒１５の形状や両者の結合構造は、上記各実施形態例に限定されるものではなく、適宜設計変更できる。
【００２８】
室内側のシリンダー１０における１組からなる下ピン１７及び上ピン１３のコラム数は、前記各実施形態では２つのコラムとしたが、１つのコラムや３つのコラムなどでもよい。しかし、本発明では室内側のシリンダー１０のピン数やバネ数を少なくしてコストの安価なものを提供するという目的を考慮すると、コラム数が１つ又は２つのものが好適である。
【００２９】
【発明の効果】
請求項１に記載の発明によれば、室内側のシリンダーの内筒の下ピン孔と外筒の上ピン孔とに対向して嵌挿される１組からなる下ピン及び上ピンの組付数は、室外側のシリンダーの内筒の下ピン孔と外筒の上ピン孔とに対向して嵌挿される１組からなる下ピン及び上ピンの組付数より少なく設けるとともに、前記室内側のシリンダーと室外側のシリンダーとは同一のキーにより施錠または解錠できるようにしてあるから、室内側・室外側の両シリンダーが同一のキーで施解錠できるだけでなく、室内側のシリンダーの１組からなる下ピン及び上ピンの組付数（コラム数）を、室外側のシリンダーの場合の組付数（コラム数）より少なくできるため、その少なくできた組付数相当分の上ピン及び下ピンとバネが不要となり、室内側のシリンダーの製造コストを安価にすることができる。
【００３０】
請求項２に記載の扉錠によれば、上記請求項１の有する効果に加え、室内側のシリンダーと室外側のシリンダーのそれぞれの内筒は同一構造としてあるから、一種類の内筒が室内・外両側のシリンダーに共用できるため、部品点数が少なくできる。
【００３１】
請求項３に記載の扉錠によれば、室内・外両側のシリンダーの内筒と外筒とは異なるものの、室内側のシリンダーの内筒の下ピン孔は、室内側の外筒の上ピン孔に対向する個数だけ配設して、室内側のシリンダーの１組からなる上ピン及び下ピンの組付数（コラム数）を、室外側のシリンダーの場合の組付数よりすくなくしているから、前記請求項１と同様の効果を有する。
【図面の簡単な説明】
【図１】本発明の実施の形態１における室内側のシリンダーと室外側のシリンダーの縦断面図である。
【図２】図１において室内側のシリンダーよりキーを引き抜いた状態の縦断面図である。
【図３】本発明の実施の形態１における室内側のシリンダーと室外側のシリンダーを取り付けた状態の全体の側面図である。
【図４】本発明の実施の形態２における室内側のシリンダーの縦断面図である。
【図５】本発明の実施の形態２における室内側のシリンダーを取り付けた状態を示す一部側面図である。
【図６】従来の両面シリンダー式の扉錠における室内側のシリンダーと室外側のシリンダーの縦断面図である。
【図７】図６において室内側のシリンダーよりキーを引き抜いた状態の縦断面図である。
【図８】従来の両面シリンダー式の扉錠における室内側のシリンダーと室外側のシリンダーを取り付けた状態の全体の側面図である。
【符号の説明】
１        扉錠
２        錠ケース
３        デッドボルト
１０      室内側のシリンダー
１１      外筒
１１ａ，１１ｂ      上ピン孔
１２      バネ
１３      上ピン
１５      内筒
１５ａ〜１５ｆ      下ピン孔
１５ｇ    段落し部
１６      キー孔
１７      下ピン
１９      キャップ
３０      室外側のシリンダー
３１      外筒
３１ａ〜３１ｆ      上ピン孔
３２      バネ
３３      上ピン
３５      内筒
３５ａ〜３５ｆ        下ピン孔
３６      キー孔
３７      下ピン
５１      第１コラム
５２      第２コラム
５３      第３コラム
５４      第４コラム
５５      第５コラム
５６      第６コラム
イ        扉
Ｋ        キー
Ｌ        シャーライン
Ｍ        上下両ピンの境界線
【図１】
2004324055.tif 000003
【図２】
2004324055.tif 000004
【図３】
2004324055.tif 000005
【図４】
2004324055.tif 000006
【図５】
2004324055.tif 000007
【図６】
2004324055.tif 000008
【図７】
2004324055.tif 000009
【図８】
2004324055.tif 000010